(57)【特許請求の範囲】
【請求項１】
支持ブラケットに回転可能に支持された巻取軸から生地押さえを介して巻ずれ特性のあるスクリーンを吊下支持し、前記巻取軸に前記スクリーンを巻取り、あるいは巻戻して前記スクリーンを昇降するロールブラインドにおいて、
前記スクリーンの上端部に取着された生地取付部材であって、前記スクリーンの表裏を切り替え可能にして、前記生地押さえに仮止めされる生地取付部材と、
前記巻取軸の外周面上に設けられ、前記スクリーンを全て巻き戻した状態の前記巻取軸に対し、該巻取軸の軸方向に位置調節可能として前記スクリーンの巻ずれを調整する調整部材とを備える
ことを特徴とするロールブラインド。
【請求項２】
前記調整部材は、弾性を有する薄板で、一部を開口した円筒状に形成したことを特徴とする請求項１記載のロールブラインド。
【請求項３】
前記調整部材は、前記巻取軸の外周面上で位置調節可能に貼着される可剥離シートとしたことを特徴とする請求項１記載のロールブラインド。
【請求項４】
前記巻取軸には、前記調整部材の取付位置を表示する表示手段を備えたことを特徴とする請求項１乃至３のいずれか１項に記載のロールブラインド。
【請求項５】
支持ブラケットに回転可能に支持された巻取軸から生地押さえを介して巻ずれ特性のあるスクリーンを吊下支持し、前記巻取軸に前記スクリーンを巻取り、あるいは巻戻して前記スクリーンを昇降するロールブラインドの製造方法において、
前記スクリーンの上端部に生地取付部材を取着し、前記スクリーンの表裏を切り替え可能にして、前記生地押さえに仮止めし、前記生地押さえを前記巻取軸に取り付ける工程と、
調整部材を、前記スクリーンを全て巻き戻した状態の前記巻取軸の外周面上に取り付ける工程とを備え、
前記巻取軸から垂下される前記スクリーンの表裏を切り替え、前記巻取軸に対し前記スクリーンを巻き取り試行して前記スクリーンの巻ずれを検出する工程と、
前記巻ずれを解消するように前記調整部材の取付位置を前記巻取軸の軸方向に移動させる工程と
をさらに備えることを特徴とするロールブラインドの製造方法。
【請求項６】
前記巻ずれを解消する前記調整部材の取付位置を検出し、前記巻取軸の外周面に前記取付位置を表示する表示手段を設けたことを特徴とする請求項５記載のロールブラインドの製造方法。
【請求項７】
同一の生地で同一サイズのスクリーンを備えた多数のロールブラインドの前記調整部材を、ひとつの前記ロールブラインドの巻き取り試行により得られた調整部材の取付位置にあわせて移動させることを特徴とする請求項５記載のロールブラインドの製造方法。
【発明の詳細な説明】
【技術分野】
【０００１】
この発明は、スクリーンの表裏を入れ替え可能としたロールブラインドに関するものである。
【背景技術】
【０００２】
ロールブラインドは、取付面に回転可能に支持された巻取軸からスクリーンが垂下され、巻取軸をスクリーン巻取り方向に回転操作することにより、スクリーンが巻取軸に巻き取られて上昇する。また、巻取軸をスクリーン巻き戻し方向に回転操作することにより、スクリーンが巻取軸から巻き戻されて下降する。
【０００３】
このようなロールブラインドでは、スクリーンの表裏を入れ替えて、部屋の模様替えを図りたいという要望があった。
特許文献１には、巻取筒から垂下するスクリーンを、巻取筒の前方へ垂下するか後方へ垂下するかを切り替えることにより、スクリーンの表裏を入れ替えるようにしたロールブラインドが開示されている。
【０００４】
特許文献２には、巻取軸の外周面に設けられた係止溝にスクリーンの上端部のビーズ連結部を係止して巻取軸からスクリーンを垂下したロールブラインドが開示されている。このロールブラインドでは、ビーズ連結部を巻取軸の一側に引き抜いてスクリーンをひっくり返し、再度ビーズ連結部を係止溝に挿入すると、スクリーンの裏表を切り替え可能である。
【先行技術文献】
【特許文献】
【０００５】
【特許文献１】特開平３−２２１６９３号公報
【特許文献２】実開平３−６３６９２号公報
【発明の概要】
【発明が解決しようとする課題】
【０００６】
ロールブラインドのスクリーンを構成する生地には、巻ずれ特性がある場合がある。図２９に示すように、上端にロールブラインドの巻取軸に取着可能とした生地押さえ５１を備えたスクリーン５２において、生地厚の厚い第一の生地部５３と、生地厚の薄い第二の生地部５４とを備えたものがある。このようなスクリーン５２で、第一の生地部５３の幅方向の中心とスクリーン５２の幅方向の中心とが一致しない場合には、巻ずれ特性が生ずる。
【０００７】
そして、図２９においては、スクリーン５２の幅方向の中心に対し、第一の生地部５３の幅方向の中心が左側にずれているため、スクリーン５２の左側半分の生地厚平均が右側半分の生地厚平均より大きくなる。従って、このスクリーン５２では左側への巻ずれが発生する。
【０００８】
図３０では、第一の生地部５３の幅方向中心がスクリーン５２の幅方向中心より右側にずれているため、右側への巻ずれが発生する。
図３１では、生地押さえ５１に対し生地が斜めに取り付けられて、スクリーン５２の左端縁の下端が鉛直線に対しずれ幅ｔで左側にずれている。このような場合には、スクリーン５２に左側への巻ずれが発生する。
【０００９】
図３２では、生地押さえ５１に対し生地が斜めに取り付けられて、スクリーン５２の右端縁の下端が鉛直線に対しずれ幅ｔで右側にずれている。このような場合には、スクリーン５２に右側への巻ずれが発生する。
【００１０】
図３３では、生地の裁断時の誤差により、スクリーン５２の上部の幅と下部の幅に誤差が生じ、スクリーン５２の左端縁の下端が鉛直線に対しずれ幅ｔで左側にずれている。このような場合には、スクリーン５２に左側への巻ずれが発生する。
【００１１】
図３４では、生地の裁断時の誤差により、スクリーン５２の上部の幅と下部の幅に誤差が生じ、スクリーン５２の右端縁の下端が鉛直線に対しずれ幅ｔで右側にずれている。このような場合には、スクリーン５２に右側への巻ずれが発生する。
【００１２】
図３５では、生地の裁断時の誤差により、スクリーン５２が平行四辺形状に裁断され、スクリーン５２の左端縁の下端が鉛直線に対しずれ幅ｔで左側にずれている。このような場合には、スクリーン５２に左側への巻ずれが発生する。
【００１３】
図３６では、生地の裁断時の誤差により、スクリーン５２が平行四辺形状に裁断され、スクリーン５２の右端縁の下端が鉛直線に対しずれ幅ｔで右側にずれている。このような場合には、スクリーン５２に右側への巻ずれが発生する。
【００１４】
このような巻ずれ特性のあるスクリーンを、特許文献１のようなロールブラインドに使用するときには、従来からある巻ずれ調整シールにより巻ずれを解消するように調整すればよい。
【００１５】
しかし、スクリーンの表裏を入れ替えると、スクリーンの昇降操作時の巻取筒の回転方向が逆方向となる。従って、巻取筒内に収容されるスプリングモーターやストッパーの動作方向を逆方向とする必要があるため、巻取筒内の昇降装置の構造が複雑となる。
【００１６】
特許文献２に開示されたロールブラインドでは、巻ずれ特性のある生地を使用する場合に、巻ずれを調整するために調整シールを使用すると、表裏いずれかの面に対して巻ずれを調整できたとしても、調整シールの付け替えができないので、表裏を入れ替えた場合には、巻ずれが生じてしまうという問題点が発生する。
【００１７】
この発明の目的は、複雑な機構を用いることなく、巻ずれ特性のあるスクリーンの表裏を入れ替えても、巻ずれを発生させることなくスクリーンを巻き取り可能としたロールブラインドを提供することにある。
【課題を解決するための手段】
【００１８】
請求項１では、支持ブラケットに回転可能に支持された巻取軸から生地押さえを介して巻ずれ特性のあるスクリーンを吊下支持し、前記巻取軸に前記スクリーンを巻取り、あるいは巻戻して前記スクリーンを昇降するロールブラインドにおいて、前記スクリーンの上端部に取着された生地取付部材であって、前記スクリーンの表裏を切り替え可能にして、前記生地押さえに仮止めされる生地取付部材と、前記巻取軸の外周面上に設けられ、前記スクリーンを全て巻き戻した状態の前記巻取軸に対し、該巻取軸の軸方向に位置調節可能として前記スクリーンの巻ずれを調整する調整部材とを備える。
【００１９】
請求項２では、前記調整部材は、弾性を有する薄板で、一部を開口した円筒状に形成した。
請求項３では、前記調整部材は、前記巻取軸の外周面上で位置調節可能に貼着される可剥離シートとした。
【００２０】
請求項４では、前記巻取軸には、前記調整部材の取付位置を表示する表示手段を備えた。
請求項５では、支持ブラケットに回転可能に支持された巻取軸から生地押さえを介して巻ずれ特性のあるスクリーンを吊下支持し、前記巻取軸に前記スクリーンを巻取り、あるいは巻戻して前記スクリーンを昇降するロールブラインドの製造方法において、前記スクリーンの上端部に生地取付部材を取着し、前記スクリーンの表裏を切り替え可能にして、前記生地押さえに仮止めし、前記生地押さえを前記巻取軸に取り付ける工程と、調整部材を、前記スクリーンを全て巻き戻した状態の前記巻取軸の外周面上に取り付ける工程とを備える。そして、前記巻取軸から垂下される前記スクリーンの表裏を切り替え、前記巻取軸に対し前記スクリーンを巻き取り試行して前記スクリーンの巻ずれを検出する工程と、前記巻ずれを解消するように前記調整部材の取付位置を前記巻取軸の軸方向に移動させる工程とをさらに備える。
【００２１】
請求項６では、前記巻ずれを解消する前記調整部材の取付位置を検出し、前記巻取軸の外周面に前記取付位置を表示する表示手段を設けた。
請求項７では、同一の生地で同一サイズのスクリーンを備えた多数のロールブラインドの前記調整部材を、ひとつの前記ロールブラインドの巻き取り試行により得られた調整部材の取付位置にあわせて移動させる。
【発明の効果】
【００２２】
本発明によれば、複雑な機構を用いることなく、巻ずれ特性のあるスクリーンの表裏を入れ替えても、巻ずれを発生させることなくスクリーンを巻き取り可能としたロールブラインドを提供することができる。
【図面の簡単な説明】
【００２３】
【図１】ロールブラインドを示す正面図である。
【図２】ロールブラインドを示す側面図である。
【図３】第一の実施形態の調整部材と巻取軸を示す分解斜視図である。
【図４】第一の実施形態の調整部材と巻取軸を示す側面図である。
【図５】スクリーン取付装置を示す断面図である。
【図６】スクリーン取付装置を示す側面図である。
【図７】スクリーン取付装置を示す断面図である。
【図８】スクリーン取付装置を示す側面図である。
【図９】スクリーンの取付手順を示す断面図である。
【図１０】スクリーンの取付手順を示す断面図である。
【図１１】スクリーンの取付手順を示す断面図である。
【図１２】スクリーンの取付手順を示す断面図である。
【図１３】スクリーンの取付手順を示す断面図である。
【図１４】スクリーンの取付手順を示す断面図である。
【図１５】巻ずれ調整操作を示す説明図である。
【図１６】巻ずれ調整操作を示す説明図である。
【図１７】巻ずれ調整操作を示す説明図である。
【図１８】巻ずれ調整操作を示す説明図である。
【図１９】巻ずれ調整操作を示す説明図である。
【図２０】第二の実施形態を示す側面図である。
【図２１】第三の実施形態の巻ずれ調整操作を示す説明図である。
【図２２】第三の実施形態の巻ずれ調整操作を示す説明図である。
【図２３】第三の実施形態の巻ずれ調整操作を示す説明図である。
【図２４】第三の実施形態の巻ずれ調整操作を示す説明図である。
【図２５】第四の実施形態を示す説明図である。
【図２６】第四の実施形態を示す説明図である。
【図２７】第四の実施形態を示す説明図である。
【図２８】第四の実施形態を示す説明図である。
【図２９】従来例を示す説明図である。
【図３０】従来例を示す説明図である。
【図３１】従来例を示す説明図である。
【図３２】従来例を示す説明図である。
【図３３】従来例を示す説明図である。
【図３４】従来例を示す説明図である。
【図３５】従来例を示す説明図である。
【図３６】従来例を示す説明図である。
【発明を実施するための形態】
【００２４】
（第一の実施形態）
以下、この発明を具体化したロールブラインドの巻ずれ調整装置の第一の実施形態を図１〜図１９に従って説明する。
【００２５】
図１及び図２に示すロールブラインドは、取付ブラケット１を介して取付面に固定されるフレーム２の両端に支持ブラケット３が取着され、その支持ブラケット３間に巻取軸４が回転可能に支持されている。そして、巻取軸４からスクリーン５が垂下され、そのスクリーン５の下端にボトムレール６が吊下支持されている。
【００２６】
前記巻取軸４の一端は操作装置７を介して前記支持ブラケット３に支持され、操作装置７に設けられるプーリーから無端状のボールチェーン８が垂下されている。そして、ボールチェーン８の操作により、巻取軸４を正逆方向に回転操作可能となっている。
【００２７】
ボールチェーン８を操作して、巻取軸４をスクリーン巻取り方向に回転させると、巻取軸４にスクリーン５が巻き取られてスクリーン５が上昇する。また、巻取軸４をスクリーン巻き戻し方向に回転させると、巻取軸４からスクリーン５が巻き戻されてスクリーン５が下降する。
【００２８】
前記巻取軸４はアルミ押出し形材で形成され、図２及び図４に示すように、その外周面の一側に取付凹部９が形成されている。この取付凹部９は、前記スクリーン５の上端を巻取軸４に取着するための生地押さえ１０を取着するための第一の凹部１２と、前記スクリーン５の巻ずれを調整する後記調整部材２４を取着するための第二の凹部１３とからなる。
【００２９】
前記第一の凹部１２には、底面から径方向外側に突出する係止突条１４が形成され、その係止突条１４の先端部に膨径部１５が形成されている。前記第一の凹部１２の一側には巻取軸４の外周面を延長するように庇部１６が形成されている。前記第一の凹部１２と第二の凹部１３とはリブ１７で仕切られている。
【００３０】
前記生地押さえ１０は、弾性を有する合成樹脂で前記巻取軸４とほぼ同様な長さの板状に形成され、その断面基端側に前記膨径部１５を弾性的に嵌合可能とした第一の嵌合溝１８が形成されている。
【００３１】
前記生地押さえ１０の表面は、巻取軸４の外周面に沿う円弧面に形成され、生地押さえ１０の断面先端側に延びる弾性片１９の先端部１９ａは、前記庇部１６の下方に挿入可能となるように屈曲されている。
【００３２】
そして、生地押さえ１０の断面先端部を庇部１６の下方に挿入した状態で、第一の嵌合溝１８を係止突条１４の膨径部１５に嵌合すると、生地押さえ１０の表面は巻取軸４の外周面の延長線上に位置する。
【００３３】
前記生地押さえ１０には、第一の嵌合溝１８に隣接して生地押さえ１０の断面先端側に向かって開口する第二の嵌合溝２０が形成されている。そして、前記第二の嵌合溝２０には生地取付部材２１の一端部を嵌合可能となっている。
【００３４】
前記生地取付部材２１は、合成樹脂で板状に成形され、その断面基端側に前記第二の嵌合溝２０に弾性的に嵌合可能とした膨径部２２が形成されている。
前記生地取付部材２１の表裏面の一方の面において、前記膨径部２２には前記スクリーン５の上端部を当接させて位置決め可能とした保持部２３が形成されている。そして、前記スクリーン５の上端はその端部を保持部２３に当接させた状態で生地取付部材２１に縫製により取着されている。
【００３５】
上記のような生地押さえ１０及び生地取付部材２１を使用すると、スクリーン５の上端を巻取軸４に取着可能であるとともに、巻取軸４から垂下されるスクリーン５の表裏を入れ替え可能である。
【００３６】
スクリーン５の上端部を巻取軸４に取着するには、図９に示すように、まず生地取付部材２１にスクリーン５の上端部を縫着する。
次いで、例えば縫着したスクリーン５が生地取付部材２１の上方に位置する状態で膨径部２２を第二の嵌合溝２０に嵌合して、生地取付部材２１を生地押さえ１０に仮止めする。
【００３７】
次いで、図１０に示すように、スクリーン５を生地押さえ１０の表面側に案内した状態で、生地押さえ１０の弾性片１９及び生地取付部材２１の先端部を巻取軸４の庇部１６の下方に挿入し、生地押さえ１０の第一の嵌合溝１８を係止突条１４の膨径部１５に嵌合する。
【００３８】
すると、図５に示すように、スクリーン５は弾性片１９の先端部１９ａと庇部１６の先端との間を経て生地押さえ１０の表面に案内され、スクリーン５を巻取軸４に巻き取り可能となる。この場合には、図６に示すように、例えば室内側にスクリーン５の裏面Ｂが露出され、室外側に表面Ａが露出される。
【００３９】
また、巻取軸４にスクリーン５が巻き取られると、図１１に示すように、スクリーン５の巻圧により生地押さえ１０の弾性片１９が巻取軸４の径方向に撓み、弾性片１９と庇部１６との間の段差がなくなる。
【００４０】
室内側にスクリーン５の表面Ａが露出されるようにする場合には、図１２に示すように、縫着したスクリーン５が生地取付部材２１の下方に位置する状態で、図１３に示すように、膨径部２２を第二の嵌合溝２０に嵌合して、生地取付部材２１を生地押さえ１０に仮止めする。
【００４１】
次いで、スクリーン５を生地押さえ１０の表面側に案内した状態で、生地押さえ１０及び生地取付部材２１の先端部を巻取軸４の庇部１６の下方に挿入し、生地押さえ１０の第一の嵌合溝１８を係止突条１４の膨径部１５に嵌合する。
【００４２】
すると、図７に示すように、スクリーン５を巻取軸４に巻き取り可能となり、図８に示すように、室内側にスクリーンの表面Ａが露出され、室外側に裏面Ｂが露出される。
前記巻取軸４には、前記スクリーン５の巻ずれを調整する調整部材２４が嵌着されている。この調整部材２４は、図３及び図４に示すように、弾性を有する合成樹脂の薄板で一部を開口した円筒状に形成され、その内径は前記巻取軸４の外径より若干小さい径で形成されている。また、開口部の一方の端縁に円筒の中心に向かって突出する係止片２５が形成されている。
【００４３】
調整部材２４の開口部は、調整部材２４を巻取軸４に嵌合しない状態で、円筒の中心に対し約７０度の範囲で開口されている。また、調整部材２４を巻取軸４に嵌合した状態では、開口部が約９０度の範囲で開口され、図６に示すように、前記生地押さえ１０には被さらないようになっている。調整部材２４の長さは、巻取軸４の長さに比べて充分に短い長さで形成される。
【００４４】
そして、巻取軸４に図２に示す生地押さえ１０を介してスクリーン５を取り付けた後に、巻取軸４からスクリーン５を全て巻き戻した状態で、調整部材２４の開口部を弾性的に拡開しながら、図３に矢印で示すように、同調整部材２４を巻取軸４の軸方向に直交する方向（径方向）から同巻取軸４に嵌合可能となっている。
【００４５】
このロールブラインドを窓枠等に設置した状態では、ロールブラインドの正面方向、すなわち図２において巻取軸４の右方向から巻取軸４に嵌合可能である。そして、巻取軸４に嵌合された調整部材２４は、巻取軸４の外周面上をスライドさせて、巻取軸４の長手方向に移動可能となっている。
【００４６】
次に、上記のような調整部材２４の作用を説明する。
図１５及び図１６に示すように、例えばスクリーン５の表面Ａが室内側に露出されるように巻取軸４に取着され、この状態で巻取軸４には調整部材２４が取着されている。調整部材２４の位置は、スクリーン５に巻ずれが生じない位置に設定されている。
【００４７】
この例では、スクリーン５が右ずれ特性のある生地で構成される場合を示し、巻取軸４にスクリーン５が巻き取られるにつれて、スクリーン５の右端縁が右側の支持ブラケットに徐々に近づく特性がある生地である。
【００４８】
すなわち、スクリーン５の中心線Ｃから右側の生地厚の平均が、中心線Ｃの左側の生地厚の平均より厚い生地や、前記生地取付部材２１に対し生地が右上がりに取着されている生地、生地の右側が下端に向かい右方向に広がっている生地である。
【００４９】
一方、左ずれ特性のある生地は、スクリーン５の中心線Ｃから左側の生地厚の平均が、中心線Ｃの右側の生地厚の平均より厚い生地や、前記生地取付部材２１に対し生地が左上がりに取着されている生地、生地の左側が下端に向かい右方向に広がっている生地である。
【００５０】
このようなロールブラインドは、生地の裁断工程、生地の縫製工程、組立工程、検査工程を経て製造される。裁断工程では、生地が必要寸法に合わせてレーザーカッターで裁断される。
【００５１】
縫製工程では、裁断工程で必要寸法に裁断された生地の上下両端に生地取付部材若しくは生地押さえが縫着される。
組立工程では、フレーム、巻取軸及びボトムレールが必要寸法に合わせて切断され、巻取軸内にクラッチ装置、スプリングモーター、軸受け、操作チェーン等の機構部品が組み込まれる。そして、巻取軸が支持ブラケットの間に回転可能に取着され、縫製工程で形成された生地の生地押さえが巻取軸及びボトムレールに取着される。
【００５２】
検査工程では、縫製工程で仕上がった生地に巻ずれ特性があるか否か不明な場合に、スクリーンを巻取軸に巻き取る巻き取り試行が行われる。
巻き取り試行において、スクリーンに右方向への巻ずれが発生した場合には、図１５において、調整部材２４をスクリーンの中心線Ｃより左側に位置させて再度巻き取り試行を行う。そして、依然として同方向に巻ずれが生じる場合には、調整部材２４をさらに同方向に移動させる。
【００５３】
巻ずれが左方向に転じた場合には、調整部材２４を右側に僅かに移動させて巻き取り試行を行い、このような操作を繰り返して、調整部材２４を巻ずれが発生しない位置に移動させる。
【００５４】
また、巻き取り試行で巻ずれが生じない場合には、調整部材２４を巻取軸４の長手方向中央部に取着する。
同一の生地で同一サイズのスクリーンを備えた多数のロールブラインドを製造する場合には、一つのサンプルの巻き取り試行によって得られた調整部材２４の最適位置で多数のロールブラインドを製造する。
【００５５】
また、縫製工程で形成された生地の誤差を測定し、その誤差と生地厚特性により調整部材の最適な取付位置を推定できるデータベースを準備した場合には、推定された取付位置に調整部材を取着する。
【００５６】
図１５及び図１６に示す状態から、スクリーン５の表裏を入れ替えて、図１８に示すように、スクリーン５の表面Ａが室外側に露出されるように巻取軸４から吊下支持すると、スクリーン５の引き上げ操作時に生ずる巻ずれは、図１６に示す状態とは異なる。
【００５７】
そこで、図１８に示すようにスクリーン５の表裏を入れ替えたとき、巻取軸４にスクリーン５を巻き取る試行操作を行い、巻ずれが発生するか否かを確認する。そして、図１９に示すように、例えばスクリーン５に巻取軸４の右方向への巻ずれが発生した場合には、スクリーン５を全て巻き戻して、図１７に示すように、調整部材２４を巻取軸４の右方に移動させ、再度試行する。
【００５８】
このような操作を繰り返して、調整部材２４をスクリーン５に巻ずれが生じない位置に移動させる。
上記のように構成されたロールブラインドでは、次に示す効果を得ることができる。
（１）スクリーン５の巻き取り方向を変更することなく、スクリーン５の表裏を入れ替えることができる。従って、巻取軸４内に収容されるスプリングモーターやクラッチ装置等の機構部品を変更することなく、簡単な作業でスクリーン５の表裏を入れ替えて、リバーシブル構成のロールブラインドを提供することができる。
（２）スクリーン５に巻ずれ特性があっても、スクリーン５の表裏を入れ替えたとき、調整部材２４の位置を調整することにより、巻ずれを解消することができる。
（第二の実施形態）
図２０は、調整部材の第二の実施形態を示す。この実施形態の調整部材３１は、開口部の両方の端縁に円筒の中心に向かって突出する係止片３２ａ，３２ｂが形成されている。
【００５９】
巻取軸４には、前記係止片３２ａに係合する第二の凹部１３と、前記係止片３２ｂに係合する係止溝３３が形成されている。その他の構成は、前記第一の実施形態と同一構成である。
【００６０】
この実施形態のロールブラインドでは、第一の実施形態で得られた効果に加えて、次に示す効果を得ることができる。
（１）調整部材３１の係止片３２ａ，３２ｂが、第二の凹部１３と係止溝３３に係合するので、調整部材３１の巻取軸４からの不用意な外れを防止することができる。
（第三の実施形態）
図２１〜図２４は、第三の実施形態を示す。この実施形態は、前記第一及び第二の実施形態の調整部材に代えて、巻取軸に可剥離シールを調整部材として使用したものである。可剥離シールは、巻取軸に接着したシールを一旦剥がして、別の位置に再接着可能としたシールである。
【００６１】
図２１及び図２２に示すように、例えばスクリーン５の表面Ａが室内側に露出されるように巻取軸４に取着され、この状態で巻取軸４には可剥離シール４１が貼着されている。可剥離シール４１が貼着位置は、スクリーン５に巻ずれが生じない位置に設定されている。
【００６２】
この状態から、スクリーン５の表裏を入れ替えて、図２４に示すように、スクリーン５の表面Ａが室外側に露出されるように巻取軸４から吊下支持すると、スクリーン５の引き上げ操作時に生ずる巻ずれは、図２２に示す状態とは異なる。
【００６３】
そこで、スクリーン５の表裏を入れ替えたとき、巻取軸４にスクリーン５を巻き取る試行操作を行い、巻ずれが発生するか否かを確認する。そして、図２３に示すように、例えばスクリーン５に巻取軸４の右方向への巻ずれが発生した場合には、スクリーン５を全て巻き戻して、可剥離シール４１を剥がして巻取軸４の右方に再接着し、再度試行する。
【００６４】
このような操作を繰り返して、可剥離シール４１をスクリーン５に巻ずれが生じない位置に貼着する。
従って、上記のような可剥離シールを使用して前記第一の実施形態と同様な効果を得ることができる。
（第四の実施形態）
図２５〜図２６は、第四の実施形態を示す。この実施形態は、前記第一及び第三の実施形態のロールブラインドの検査工程において、巻取軸４の外周面上に調整部材２４，３１の取付位置を示すマーキングを施すようにしたものである。
【００６５】
図２５に示すように、検査工程においてスクリーン５の表面が室内側に露出する状態で巻き取り試行を行い、調整部材２４を巻ずれが生じない位置に移動させる。そして、図２６に示すように、この状態での調整部材２４の位置を示すマーキングＭ１を巻取軸４の外周面に施す。
【００６６】
次いで、スクリーン５の裏面が室内側に露出する状態で巻き取り試行を行い、図２６に示すように、調整部材２４を巻ずれが生じない位置に移動させる。そして、図２５に示すように、この状態での調整部材２４の位置を示すマーキングＭ２を巻取軸４の外周面に施す。
【００６７】
図２７及び図２８は、調整部材として可剥離シール４１を使用する場合において、可剥離シール４１の貼着位置にマーキングを施すようにしたものである。
図２７に示すように、検査工程においてスクリーン５の表面が室内側に露出する状態で巻き取り試行を行い、可剥離シール４１を巻ずれが生じない位置に貼着する。そして、図２８に示すように、この状態での可剥離シール４１の位置を示すマーキングＭ３を巻取軸４の外周面に施す。
【００６８】
次いで、スクリーン５の裏面が室内側に露出する状態で巻き取り試行を行い、図２８に示すように、可剥離シール４１を巻ずれが生じない位置に移動させる。そして、図２７に示すように、この状態での可剥離シール４１の位置を示すマーキングＭ４を巻取軸４の外周面に施す。
【００６９】
上記のように、検査工程でマーキングを施したロールブラインドでは、次に示す作用効果を得ることができる。
（１）マーキングＭ１，Ｍ２あるいは同Ｍ３，Ｍ４を巻取軸４の外周面に施したので、ロールブラインドの使用者あるいは施工者が、スクリーン５の表裏を入れ替える際、調整部材２４，３１あるいは可剥離シール４１の取付変更位置を容易に確認することができる。従って、スクリーン５の表裏の入れ替え作業を、巻き取り試行を必要とすることなく、速やかに行うことができる。
【００７０】
上記実施形態は、以下の態様で実施してもよい。
・外周面に生地押さえを取着するための取付溝やリブを具備しない円筒状の巻取軸に、第一の実施形態に示すような円筒の一部を開口した調整部材を嵌合してもよい。
・各実施形態において、調整部材は弾性を有する金属の薄板としてもよい。
・巻取軸４の外周面に、同巻取軸４の長手方向中央部からの距離を示す目盛りを設けてもよい。この目盛りにより、調整部材２４，３１あるいは可剥離シール４１の位置調整を行う際の作業性を向上させることができる。
【符号の説明】
【００７１】
３…支持ブラケット、４…巻取軸、５…スクリーン、２４，３１…調整部材、９…切り替え手段（取付凹部）、１０…切り替え手段（生地押さえ）、１４…切り替え手段（係止突条）、１５…切り替え手段（膨径部）、２０…切り替え手段（第二の嵌合溝）、２１…切り替え手段（生地取付部材）、２２…切り替え手段（膨径部）、Ｍ１〜Ｍ４（表示手段）。
【図１】
0005784994.tif 000002
【図２】
0005784994.tif 000003
【図３】
0005784994.tif 000004
【図４】
0005784994.tif 000005
【図５】
0005784994.tif 000006
【図６】
0005784994.tif 000007
【図７】
0005784994.tif 000008
【図８】
0005784994.tif 000009
【図９】
0005784994.tif 000010
【図１０】
0005784994.tif 000011
【図１１】
0005784994.tif 000012
【図１２】
0005784994.tif 000013
【図１３】
0005784994.tif 000014
【図１４】
0005784994.tif 000015
【図１５】
0005784994.tif 000016
【図１６】
0005784994.tif 000017
【図１７】
0005784994.tif 000018
【図１８】
0005784994.tif 000019
【図１９】
0005784994.tif 000020
【図２０】
0005784994.tif 000021
【図２１】
0005784994.tif 000022
【図２２】
0005784994.tif 000023
【図２３】
0005784994.tif 000024
【図２４】
0005784994.tif 000025
【図２５】
0005784994.tif 000026
【図２６】
0005784994.tif 000027
【図２７】
0005784994.tif 000028
【図２８】
0005784994.tif 000029
【図２９】
0005784994.tif 000030
【図３０】
0005784994.tif 000031
【図３１】
0005784994.tif 000032
【図３２】
0005784994.tif 000033
【図３３】
0005784994.tif 000034
【図３４】
0005784994.tif 000035
【図３５】
0005784994.tif 000036
【図３６】
0005784994.tif 000037